(57)【要約】【課題】連続するコンテンツをシリーズごとに分類して記憶媒体に書込めるようにする。【解決手段】受信装置３は、アンテナ２を通じてデジタル放送番組とＥＩＴを受信し、ＥＩＴに含まれているシリーズに関する情報を基に番組属性情報を生成する。書込制御装置７は、ユーザによる番組録画領域４内の録画済デジタル放送番組のＤＶＤへの書込の指示入力をＵＩ８を介して受けた場合、番組属性情報記憶領域５内の番組属性情報、ＤＶＤ書込履歴情報記憶領域６内のＤＶＤ書込履歴情報およびＤＶＤドライブ９から得られるＤＶＤ情報を総合して、ＤＶＤ書込の可否を判断し、ＵＩ８を介してユーザにその判断情報を提示したうえで、ＵＩ８を介して取得するユーザの指示入力情報に基づいてＤＶＤへの録画済デジタル放送番組の書込を制御する。【選択図】図２
2008085851.tif 000002
【特許請求の範囲】
【請求項１】
第１のコンテンツを記録媒体に書込む書込手段と、
前記第１のコンテンツの識別情報と前記記録媒体の識別情報とを関連付けて記憶する第１の記憶手段と、
第２のコンテンツを記憶する第２の記憶手段と、
前記第２の記憶手段が前記第２のコンテンツを記憶した場合に、該第２のコンテンツの識別情報を記憶する第３の記憶手段と、
前記第１の記憶手段によって記憶された前記第１のコンテンツの識別情報と前記第３の記憶手段によって記憶された前記第２のコンテンツの識別情報とを比較する比較手段と、
該比較手段によって前記第１のコンテンツの識別情報と前記第２のコンテンツの識別情報を比較した結果同一であると判断した場合に、前記書込手段が、前記第２のコンテンツを前記記録媒体に書込むことを特徴とするコンテンツ書込装置。
【請求項２】
前記比較手段によって前記第１のコンテンツの識別情報と前記第２のコンテンツの識別情報を比較した結果同一ではないと判断した場合に、ユーザに通知する通知手段を有することを特徴とする請求項１に記載のコンテンツ書込装置。
【請求項３】
前記第１のコンテンツおよび前記第２のコンテンツを受信する受信手段を有することを特徴とする請求項１または請求項２に記載のコンテンツ書込装置。
【請求項４】
前記受信手段が前記第１のコンテンツの識別情報および前記第２のコンテンツの識別情報を受信することを特徴とする請求項３に記載のコンテンツ書込装置。
【請求項５】
前記受信手段が前記第１のコンテンツの識別情報および前記第２のコンテンツの識別情報を生成することを特徴とする請求項３に記載のコンテンツ書込装置。
【請求項６】
前記書込手段が前記第２のコンテンツを前記記録媒体に書込んだ場合、前記第１の記憶手段が前記第２のコンテンツの識別情報と前記記録媒体の識別情報とを関連付けて記憶することを特徴とする請求項１乃至請求項５に記載のコンテンツ書込装置。
【発明の詳細な説明】
【技術分野】
【０００１】
本発明は、連続するコンテンツをシリーズごとに分類して記憶媒体に書込可能な装置に関する。
【背景技術】
【０００２】
近年、ＨＤＤレコーダの普及により、従来と比べてより多くの番組を録画保存することが可能となった。一方で、録りためた番組コンテンツの整理は労力を要する作業であるため、ユーザの手間と時間を軽減するために様々な技術が提案されている。例えば、特許文献１には、同じタイトル、チャンネルで所定時間毎に同じ時間帯で放送される連続番組をまとめて、録画条件およびハードディスクからリムーバブル記録メディアへのダビング条件を設定可能とした技術が開示されている。
【０００３】
【特許文献１】特開２００５−３４７８２２号公報
【発明の開示】
【発明が解決しようとする課題】
【０００４】
しかしながら、特許文献１に記載の技術においては、同じシリーズの連続するコンテンツをまとめて同じ記憶媒体に書込むことが可能だが、同じシリーズの連続するコンテンツを逐次記憶媒体に書込む場合、書込先の記憶媒体が同じシリーズのコンテンツを以前に書込んだことがあるかを確認することができないため、シリーズごとに分類して記憶媒体に書込むことができないという問題点がある。
【０００５】
そこで、本発明は、コンテンツを記憶媒体に書込む際に、その記憶媒体に以前に書込まれたコンテンツを確認してユーザに通知することで、連続するコンテンツをシリーズごとに分類して記憶媒体に書込可能な装置を提供することを目的とする。
【課題を解決するための手段】
【０００６】
本発明のコンテンツ書込装置は、第１のコンテンツを記録媒体に書込む書込手段と、前記第１のコンテンツの識別情報と前記記録媒体の識別情報とを関連付けて記憶する第１の記憶手段と、第２のコンテンツを記憶する第２の記憶手段と、前記第２の記憶手段が前記第２のコンテンツを記憶した場合に、該第２のコンテンツの識別情報を記憶する第３の記憶手段と、前記第１の記憶手段によって記憶された前記第１のコンテンツの識別情報と前記第３の記憶手段によって記憶された前記第２のコンテンツの識別情報とを比較する比較手段と、該比較手段によって前記第１のコンテンツの識別情報と前記第２のコンテンツの識別情報を比較した結果同一であると判断した場合に、前記書込手段が、前記第２のコンテンツを前記記録媒体に書込むことを特徴とする。
【０００７】
また、本発明のコンテンツ書込装置は、前記比較手段によって前記第１のコンテンツの識別情報と前記第２のコンテンツの識別情報を比較した結果同一ではないと判断した場合に、ユーザに通知する通知手段を有するようにしてもよい。
【０００８】
また、本発明のコンテンツ書込装置は、前記第１のコンテンツおよび前記第２のコンテンツを受信する受信手段を有するようにしてもよい。
【０００９】
また、本発明のコンテンツ書込装置は、前記受信手段が前記第１のコンテンツの識別情報および前記第２のコンテンツの識別情報を受信するようにしてもよい。
【００１０】
また、本発明のコンテンツ書込装置は、前記受信手段が前記第１のコンテンツの識別情報および前記第２のコンテンツの識別情報を生成するようにしてもよい。
【００１１】
また、本発明のコンテンツ書込装置は、前記書込手段が前記第２のコンテンツを前記記録媒体に書込んだ場合、前記第１の記憶手段が前記第２のコンテンツの識別情報と前記記録媒体の識別情報とを関連付けて記憶するようにしてもよい。
【発明の効果】
【００１２】
本発明によれば、コンテンツを記憶媒体に書込む際に、その記憶媒体に以前に書込まれたコンテンツが書込もうとしているコンテンツと同じシリーズの連続するコンテンツかどうかを確認してユーザに通知することで、同じシリーズの連続するコンテンツを同じ記憶媒体に逐次書込むことができ、連続するコンテンツをシリーズごとに分類して記憶媒体に書込むことが可能になる。
【発明を実施するための最良の形態】
【００１３】
以下に、本発明の実施の形態について図面を参照して説明する。
【００１４】
第１の実施の形態は、デジタル放送番組のＥＩＴ（Event Information Table）に、図１に示すようなシリーズに関する情報が含まれていることを前提にしている。
【００１５】
図２は、第１の実施の形態を示すブロック図である。コンテンツ書込装置１は、アンテナ２と接続し、受信装置３、番組録画領域４、番組属性情報記憶領域５、ＤＶＤ書込履歴情報記憶領域６、書込制御装置７、ＵＩ８、ＤＶＤドライブ９からなる。
【００１６】
受信装置３は、アンテナ２を通じてデジタル放送番組とＥＩＴを受信し、ＥＩＴに含まれているシリーズに関する情報を基に番組属性情報を生成するための装置である。ここで生成される番組属性情報は、図３に示すとおりである。
【００１７】
番組録画領域４は、受信装置３により受信されたデジタル放送番組を録画する領域である。
【００１８】
番組属性情報記憶領域５は、受信装置３により生成された番組属性情報を記憶する領域である。
【００１９】
ＤＶＤ書込履歴情報記憶領域６は、コンテンツ書込装置１により書込まれてきたＤＶＤに関するＤＶＤ書込履歴情報を記憶する領域である。ここで記憶されるＤＶＤ書込履歴情報は、図４に示すとおりである。
【００２０】
書込制御装置７は、番組録画領域４内の録画済デジタル放送番組のＤＶＤへの書込を制御する演算装置である。書込制御装置７は、番組属性情報記憶領域５内の番組属性情報、ＤＶＤ書込履歴情報記憶領域６内のＤＶＤ書込履歴情報およびＤＶＤドライブ９から得られるＤＶＤ情報（ＤＶＤ  ＩＤ）を総合して、ＤＶＤ書込の可否を判断し、ＵＩ８を介してユーザにその判断情報を提示したうえで、ＵＩ８を介して取得するユーザの指示入力情報に基づいて録画済デジタル放送番組のＤＶＤへの書込を制御する。
【００２１】
ＵＩ８は、ユーザに対する情報提示とユーザによる指示入力が可能な装置である。
【００２２】
ＤＶＤドライブ９は、ＤＶＤ情報の読込と録画済デジタル放送番組のＤＶＤへの書込を行う装置である。
【００２３】
図５は、録画済デジタル放送番組のＤＶＤへの書込処理を示すフローチャートである。
【００２４】
ＵＩ８は、ユーザによる録画済デジタル放送番組のＤＶＤへの書込の指示入力を受け、その指示入力情報を書込制御装置７に転送する（ステップＳ１）。
【００２５】
ＵＩ８を介してユーザの指示入力情報を得た書込制御装置７は、ＤＶＤドライブ９にＤＶＤが挿入されているかどうかを確認する（ステップＳ２）。ＤＶＤが挿入されていない場合、書込制御装置７は、ＵＩ８に、図６に例示するような要求１を表示させ、ユーザに対してＤＶＤの挿入を促す（ステップＳ３）。そして、ユーザによりＤＶＤが挿入された場合は、ステップＳ４以降の処理が実行される。
【００２６】
ステップＳ２においてＤＶＤが挿入されていることが確認された場合、ＤＶＤドライブ９は、挿入されているＤＶＤのＤＶＤ情報を読み込み、書込制御装置７に転送する（ステップＳ４）。
【００２７】
書込制御装置７は、ステップＳ１においてＵＩ８を介して取得したユーザの指示入力情報に基づき、ＤＶＤへの書込を指示された録画済デジタル放送番組の番組属性情報を番組属性情報記憶領域５から取得するとともに、ＤＶＤ書込履歴情報をＤＶＤ書込履歴情報記憶領域６から取得する。そして、書込制御装置７は、取得した番組属性情報、ＤＶＤ書込履歴情報、そしてステップＳ４において転送されたＤＶＤ情報を照らし合わせて、取得した番組属性情報と同じシリーズＩＤを有する別の録画済デジタル放送番組を過去にＤＶＤに書込んだことがあるか、書込んだことがあるとしたらそのＤＶＤに今回の録画済デジタル放送番組を書込むための十分な空き容量があるか、空き容量があるとしたらそのＤＶＤと現在ＤＶＤドライブ９に挿入されているＤＶＤが一致するか、一致しないとしたら挿入されているＤＶＤに録画済デジタル放送番組を書込むことがユーザの意思に合致するかを調査する（ステップＳ５）。
【００２８】
ステップＳ５における調査の結果、ＤＶＤドライブ９に挿入されているＤＶＤを調査することを判断した場合、書込制御装置７は、ＤＶＤに今回の録画済デジタル放送番組を書込むための十分な空き容量があるか、空き容量があるとしたらＤＶＤに今回の録画済デジタル放送番組とは別のシリーズＩＤを有する録画済デジタル放送番組を書込んだことがあるか、書込んだことがあるとしたらＤＶＤに録画済デジタル放送番組を書込むことがユーザの意思に合致するかを調査する（ステップＳ６）。
【００２９】
ステップＳ５またはステップＳ６における調査の結果、ＤＶＤドライブ９に挿入されているＤＶＤを入替えることを判断した場合、書込制御装置７は、ＵＩ８に、図７に例示するような要求２または図８に例示するような要求３もしくは図９に例示するような要求４を表示させ、ユーザに対してＤＶＤの入替を促す（ステップＳ７）。そして、ユーザによりＤＶＤが入替えられた場合は、ステップＳ４以降の処理が実行される。
【００３０】
ステップＳ５またはステップＳ６における調査の結果、ＤＶＤドライブ９に挿入されているＤＶＤに録画済デジタル放送番組を書込むことを書込制御装置７が判断した場合、ＤＶＤドライブ９は、書込制御装置７の指示により、録画済デジタル放送番組のＤＶＤへの書込を行う（ステップＳ８）。ステップＳ８において録画済デジタル放送番組をＤＶＤに書込んだ場合、書込制御装置７は、ＤＶＤ書込履歴情報記憶領域６に記憶されているＤＶＤ書込履歴情報を更新する（ステップＳ９）。
【００３１】
次に、図１０のフローチャートを参照して、図５のステップＳ５における書込制御装置７による調査処理をより詳しく説明する。
【００３２】
まず、取得した番組属性情報とＤＶＤ書込履歴情報を照らし合わせて、取得した番組属性情報と同じシリーズＩＤを有する別の録画済デジタル放送番組を過去にＤＶＤに書込んだことがあるかを調査する（ステップＳ１１）。書込んだことがなければ、図５におけるステップＳ６以降の処理が実行される。
【００３３】
書込んだことがあれば、取得した番組属性情報と同じシリーズＩＤを有する別の録画済デジタル放送番組を過去に書込んだＤＶＤの中から、取得した番組属性情報のエピソード番号より小さい番号のうち最大のエピソード番号を持つ録画済デジタル放送番組が書込まれているＤＶＤ（取得した番組属性情報と同じシリーズＩＤを有する別の録画済デジタル放送番組を過去に書込んだＤＶＤが１つしか存在しない場合はそのＤＶＤ）を検索し（ステップＳ１２）、そのＤＶＤの空き容量と今回書込もうとしている録画済デジタル放送番組の容量のどちらが大きいかを調査する（ステップＳ１３）。そのＤＶＤの空き容量より今回書込もうとしている録画済デジタル放送番組の容量が大きい場合は、図５におけるステップＳ６以降の処理が実行される。
【００３４】
そのＤＶＤの空き容量より今回書込もうとしている録画済デジタル放送番組の容量が小さい、または容量が一致する場合は、そのＤＶＤと現在ＤＶＤドライブ９に挿入されているＤＶＤが一致するかを調査する（ステップＳ１４）。一致すれば、図５におけるステップＳ８以降の処理が実行される。
【００３５】
一致しなければ、ＵＩ８に、図１１に例示するような警告１を表示させ、ユーザに対して録画済デジタル放送番組を現在ＤＶＤドライブ９に挿入されているＤＶＤに書込むことの是非判断を促す（ステップＳ１５）。警告１を見たユーザが「はい」を選択して例えばマウスでクリックした場合、図５におけるステップＳ６以降の処理が実行される。
【００３６】
警告１を見たユーザが「いいえ」を選択して例えばマウスでクリックした場合、書込制御装置７は、ＵＩ８に、図７に例示するような要求２を表示させ、図５におけるステップＳ７以降の処理が実行される。
【００３７】
さらに、図１２のフローチャートを参照して、図５のステップＳ６における書込制御装置７による調査処理をより詳しく説明する。
【００３８】
まず、ＤＶＤドライブ９に挿入されているＤＶＤの空き容量と、今回書込もうとしている録画済デジタル放送番組の容量のどちらが大きいかを調査する（ステップＳ２１）。そのＤＶＤの空き容量より録画済デジタル放送番組の容量のほうが大きい場合は、書込制御装置７は、ＵＩ８に、図８に例示するような要求３を表示させ、図５におけるステップＳ７以降の処理が実行される。
【００３９】
そのＤＶＤの空き容量より今回書込もうとしている録画済デジタル放送番組の容量が小さい、または容量が一致する場合は、そのＤＶＤに、今回書込もうとしている録画済デジタル放送番組の番組属性情報と異なるシリーズＩＤを有する録画済デジタル放送番組を書込んだことがあるかを調査する（ステップＳ２２）。書込んだことがなければ、図５におけるステップＳ８以降の処理が実行される。
【００４０】
書込んだことがあれば、ＵＩ８に、図１３に例示するような警告２を表示させ、ユーザに対して録画済デジタル放送番組を現在ＤＶＤドライブ９に挿入されているＤＶＤに書込むことの是非判断を促す（ステップＳ２３）。警告２を見たユーザが「はい」を選択して例えばマウスでクリックした場合、図５におけるステップＳ８以降の処理が実行される。
【００４１】
警告２を見たユーザが「いいえ」を選択して例えばマウスでクリックした場合、書込制御装置７は、ＵＩ８に、図９に例示するような要求４を表示させ、図５におけるステップＳ７以降の処理が実行される。
【００４２】
以上に説明したとおり、この実施の形態によると、録画済デジタル放送番組をＤＶＤに書込む際に、そのＤＶＤに以前に書込まれた録画済デジタル放送番組が書込もうとしている録画済デジタル放送番組と同じシリーズの連続するデジタル放送番組かどうかを確認してユーザに通知することで、同じシリーズの連続するデジタル放送番組を同じＤＶＤに逐次書込むことができ、連続するデジタル放送番組をシリーズごとに分類してＤＶＤに書込むことが可能になる。
【００４３】
次に、本発明の第２の実施の形態について説明する。
【００４４】
第１の実施の形態は、デジタル放送番組のＥＩＴに、シリーズに関する情報が含まれていることを前提にしているが、第２の実施の形態は、アナログ放送番組の場合、デジタル放送番組であってもシリーズに関する情報がＥＩＴに含まれない場合、その他シリーズに関する情報を受信できない場合に、受信装置３が、以下に説明する方法を用いてシリーズを判定する。
【００４５】
第２の実施の形態において、図２に示す受信装置３は、アンテナ２を通じて放送とＥＰＧ（Electronic Program Guide）を受信して、ＥＰＧに含まれている番組名、チャンネルおよび放送開始時間を基に番組属性情報を生成するための装置である。ここで生成される番組属性情報は、図１４に示すとおりである。そして、図２に示す書込制御装置７は、第１の実施の形態において、番組属性情報が同じシリーズＩＤを有する場合にそれぞれのデジタル放送番組が同じシリーズであると判定したのに対し、第２の実施の形態においては、番組名に同じ文字列を含み、チャンネルが同じであり、かつ放送開始時間のずれが例えば１時間以内である場合にそれぞれの放送番組が同じシリーズであると判定する。
【００４６】
なお、その他の処理は、第１の実施の形態における処理と同じである。
【００４７】
以上に説明したとおり、この実施の形態によると、放送番組のシリーズに関する情報が受信できない場合であっても、番組属性情報を生成してその番組属性情報をシリーズ判定に用いることで、第１の実施の形態と同様の効果を得ることが可能となる。
【００４８】
なお、以上の２つの実施の形態においては、連続するコンテンツとしてデジタル放送番組およびアナログ放送番組を例に挙げて説明したが、連続しているのであれば、ユーザが作成する静止画コンテンツや動画コンテンツでもよい。また、コンテンツを書込む記憶媒体としてＤＶＤを例に挙げて説明したが、着脱可能であれば、ハードディスクドライブやフラッシュメモリでもよい。
【図面の簡単な説明】
【００４９】
【図１】デジタル放送番組のＥＩＴに含まれているシリーズに関する情報を示す図である。
【図２】本発明によるコンテンツ書込装置の第１の実施の形態を示すブロック図である。
【図３】第１の実施の形態において、図２に示した受信装置３が生成する番組属性情報を示す図である。
【図４】図２に示したコンテンツ書込装置１により書込まれてきたＤＶＤに関するＤＶＤ書込履歴情報を示す図である。
【図５】録画済デジタル放送番組のＤＶＤへの書込処理を示すフローチャートである。
【図６】図５に示したＵＩ８が表示する要求１の具体例である。
【図７】図５に示したＵＩ８が表示する要求２の具体例である。
【図８】図５に示したＵＩ８が表示する要求３の具体例である。
【図９】図５に示したＵＩ８が表示する要求４の具体例である。
【図１０】図５のステップＳ５における書込制御装置７による調査処理を詳しく説明するフローチャートである。
【図１１】図１０に示したＵＩ８が表示する警告１の具体例である。
【図１２】図５のステップＳ６における書込制御装置７による調査処理を詳しく説明するフローチャートである。
【図１３】図１２に示したＵＩ８が表示する警告２の具体例である。
【図１４】第２の実施の形態において、図２に示す受信装置３が生成する番組属性情報を示す図である。
【符号の説明】
【００５０】
１  コンテンツ書込装置
２  アンテナ
３  受信装置
４  番組録画領域
５  番組属性情報記憶領域
６  ＤＶＤ書込履歴情報記憶領域
７  書込制御装置
８  ＵＩ
９  ＤＶＤドライブ
【図１】
2008085851.tif 000003
【図２】
2008085851.tif 000004
【図３】
2008085851.tif 000005
【図４】
2008085851.tif 000006
【図５】
2008085851.tif 000007
【図６】
2008085851.tif 000008
【図７】
2008085851.tif 000009
【図８】
2008085851.tif 000010
【図９】
2008085851.tif 000011
【図１０】
2008085851.tif 000012
【図１１】
2008085851.tif 000013
【図１２】
2008085851.tif 000014
【図１３】
2008085851.tif 000015
【図１４】
2008085851.tif 000016